(57)【要約】      （修正有）【課題】箱詰めした飲用缶を、手が不自由な人、おとしより、子供でも、簡単に取り出せるようにする。【解決手段】箱の片側の横壁内の両側か、中央に、指が挿し込まれる高さの凸起を形成する。これにより、凸起の中間または、両側に隙間ができるので、手が不自由な人、おとしより、子供でも、飲用缶を簡単に取り出すことができる。また、本発明は、箱に詰めた内容物や包装物を、ロボットやフオークのつかみで取り出す箱にも実施することができる。【選択図】図８
2019127321.tif 000002
【特許請求の範囲】
【請求項１】
飲用缶を詰め込む箱の横巾を、指が挿し込まれる高さの凸起の分だけ巾広くし、且、該凸起は片側の横壁内の両側に、横断面を半円状または半楕円状にして縦状に形成すると共に、該凸起の上下は、ゆるやかな傾斜状に形成し、而して、飲用缶を詰め込むようにしたことを特徴とする箱詰めした缶を取り出しやすくした空間付き箱。
【請求項２】
飲用缶を詰め込む箱の横巾を、指が挿し込まれる高さの凸起の分だけ巾広くし、且、該凸起は、片側の横壁内の左右方向の中央に、横断面を台形にして縦状に形成すると共に、該凸起の上下は、ゆるやかな傾斜状に形成し、而して、飲用缶を詰め込むようにしたことを特徴とする箱詰めした缶を取り出しやすくした空間付き箱。
【請求項３】
飲用缶を詰め込む箱の横巾を、指が挿し込まれる高さの凸起の分だけ巾広くし、且、該凸起は、台紙の左右方向の中央に、横断面を台形にして縦状に形成すると共に、凸起を形成した台紙は、片側の横壁内に、縦状に收まる大きさに形成し、而して、凸起の上辺を片側の横壁内に付けるか貼着したことを特徴とする箱詰めした缶を取り出しやすくした空間付き箱。
【請求項４】
飲用缶を詰め込む箱の横巾を、指が挿し込まれる高さの凸起の分だけ巾広くし、且、該凸起は台紙の左右方向の中央に、横断面を台形にして縦状に形成すると共に、凸起を形成した台紙は、片側の横壁内に收まる大きさに形成し、而して、凸起の両辺を、片側の横壁内に付けるか貼着して飲用缶を詰め込むようにしたことを特徴とする箱詰めした缶を取り出しやすくした空間付き箱。
【請求項５】
飲用缶を詰め込む箱の横巾を、指が挿し込まれる高さの凸起の分だけ巾広くし、且、該凸起は、台紙の表側の左右に横断面を半円状または、半隨円状にして縦状に形成すると共に、凸起を形成した台紙は、片側の横壁内に收まる大きさに形成し、而して、台紙の裏側を、片側の横壁内に付けるか貼着して、飲用缶を詰め込むようにしたことを特徴とする箱詰めした缶を取り出しやすくした空間付き箱
【請求項６】
内容物や包装物を詰め込む箱の横巾を、両側につかみを挿し込まれる高さの凸起の分だけ巾広くし、且、該凸起は、両壁内の両側に、横断面を半円または、楕円状にして縦状に形成すると共に、該凸起の上下は、ゆるやかな傾斜状に形成し、而して、内容物や包装物を詰め込むようにしたことを特徴とする請求項１記載の箱詰めした缶を取り出しやすくした空間付き箱。
【請求項７】
内容物や包装物を詰め込む箱の横巾を、両側につかみを挿し込まれる高さの凸起の分だけ巾広くし、且、該凸起は、両壁内の左右方向の中央に、横断面を台形にして縦状に形成すると共に、該凸起の上下は、ゆるやかな傾斜状に形成し、而して、内容物や包装物を詰め込むようにしたことを特徴とする請求項２記載の箱詰めした缶を取り出しやすくした空間付き箱
【請求項８】
内容物や包装物を詰め込む箱の横巾を、両側につかみを挿し込まれる高さの凸起の分だけ巾広くし、且、該凸起は、台紙の左右方向の中央に横断面を台形にして縦状に形成すると共に、凸起を形成した台紙は、両横壁内に縦状に收まる大きさに形成し、而して、凸起の上辺を両壁内に付けるか貼着して内容物や包装物を詰め込むようにしたことを特徴とする請求項３記載の箱詰めした缶を取り出しやすくした空間付き箱。
【請求項９】
内容物や包装物を詰め込む箱の横巾を、両側につかみを挿し込まれる高さの凸起の分だけ巾広くし、且、該凸起は台紙の左右方向の中央に、横断面を台形にして縦状に形成すると共に、凸起を形成した台紙は、両横壁内に收まる大きさに形成し、而して、凸起の両辺を両横壁内に付けるか貼着して内容物や包装物を詰め込むようにしたことを特徴とする箱詰めした缶を取り出しやすくした空間付き箱。
【請求項１０】
内容物や包装物を詰め込む箱の横巾を、両側につかみを挿し込まれる高さの凸起の分だけ巾広くし、且、該凸起は、台紙の表側左右に、横断面を半円状か台形状にして縦状に形成すると共に、凸起を形成した台紙は、両横壁内に收まる大きさに形成し、而して、台紙の裏側を両横壁内に付けるか貼着して内容物や包装物を詰め込むようにしたことを特徴とする箱詰めした缶を取り出しやすくした空間付き箱。
【請求項１１】
台紙の貼り付けは、台紙の裏側上下、または、数箇所に接着剤を塗布して、該上面に油紙または蝋紙を被せ、箱の組立後、油紙または蝋紙を剥いで両壁内に貼着することを特徴とする箱詰めした缶を取り出しやすくした空間付き箱。
【発明の詳細な説明】
【技術分野】
【０００１】  本発明は、箱詰めした缶を取り出しやすくした空間付き箱に関する。
【背景技術】
【０００２】  従来、箱詰めした飲用缶は、密着しているので取り出し難い。そのため、手が不自由な人、おとしより、子供は取り出せない。
【先行技術文献】
【０００３】      １、実願昭５９−９３５４３号（公開実用  昭和６１−８５１４）
２、実願平２−５３６６５号（実開平４−１３５１９号）
【発明の概要】
【発明が解決しようとする課題】
【０００４】  箱詰めした飲用缶を、手が不自由な人、おとしより、子供でも、簡単に取り出せるようにすることを目的とする。
また、内容物や包装体をロボットやフオークのつかみを挿し込んで、簡単に取り出せるようにすることを目的とする。
【発明が解決するための手段】
【０００５】  実施例１から５は、飲用缶用の箱の実施例である。
【０００６】  すなわち、実施例１（図１から図３）は、飲用缶を詰め込む箱の横巾を、指が挿し込まれる高さの凸起の分だけ巾広くし、且、該凸起は片側の横壁内の両側に、横断面を半円状または半楕円状にして縦状に形成すると共に、該凸起の上下は、ゆるやかな傾斜状に形成し、而して、飲用缶を詰め込むようにしたものである。
【０００７】  実施例２の図４から図６は、飲用缶を詰め込む箱の横巾を、指が挿し込まれる高さの凸起の分だけ巾広くし、且、該凸起は、片側の横壁内の左右方向の中央に、横断面を台形にして縦状に形成すると共に、該凸起の上下は、ゆるやかな傾斜状に形成し、而して、飲用缶を詰め込むようにしたものである。
【０００８】  実施例３の図７から図９は、飲用缶を詰め込む箱の横巾を、指が挿し込まれる高さの凸起の分だけ巾広くし、且、該凸起は、台紙の左右方向の中央に、横断面を台形にして縦状に形成すると共に、凸起を形成した台紙は、片側の横壁内に、縦状に收まる大きさに形成し、而して、凸起の上辺を片側の横壁内に付けるか貼着して飲用缶を詰め込むようにしたものである。
【０００９】  実施例４の図１０から図１２は、飲用缶を詰め込む箱の横巾を、指が挿し込まれる高さの凸起の分だけ巾広くし、且、該凸起は台紙の左右方向の中央に、横断面を台形にして縦状に形成すると共に、凸起を形成した台紙は、片側の横壁内に收まる大きさに形成し、而して、凸起の両辺を、片側の横壁内に付けるか貼着して飲用缶を詰め込むようにしたものである。
【００１０】  実施例５（図１３から図１５）は、飲用缶を詰め込む箱の横巾を、指が挿し込まれる高さの凸起の分だけ巾広くし、且、該凸起は、台紙の表側の左右に横断面を半円状または、半楕円状にして縦状に形成すると共に、凸起を形成した台紙は、片側の横壁内に收まる大きに形成し、而して、台紙の裏側を、片側の横壁内に付けるか貼着して、飲用缶を詰め込むようにしたものである。なお、凸起はＬ字状に形成してもよい。
【００１１】  実施例１から５は飲用缶用であるが、箱に詰めた内容物や包装物を、ロボットやフオークのつかみを挿し込んで取り出す箱にも応用実施可能である。
【００１２】  すなわち、実施例６は、実施例１（図１から図３）の応用実施例で、内容物や包装物を詰め込む箱の横巾を、両側につかみを挿し込まれる高さの凸起の分だけ巾広くし、且、該凸起は、両横壁内の両側に、横断面を半円または、楕円状にして縦状に形成すると共に、該凸起の上下は、ゆるやかな傾斜状に形成し、而して、内容物や包装物を詰め込むようにしたものである。
【００１３】  実施例７は、実施例２（図４から図６〕の応用実施例で、内容物や包装物を詰め込む箱の横巾を、両側につかみを挿し込まれる高さの凸起の分だけ巾広くし、且、該凸起は、両壁内の左右方向の中央に、横断面を台形にして縦状に形成すると共に、該凸起の上下は、ゆるやかな傾斜状に形成し、而して、内容物や包装物を詰め込むようにしたものである。
【００１４】  実施例８は、実施例３（図７から図９）の応用実施例で、内容物や包装体を詰め込む箱の横巾を、両側につかみを挿し込まれる高さの凸起の分だけ巾広くし、且、該凸起は、台紙の左右方向の中央に、横断面を台形にして縦状に形成すると共に、凸起を形成した台紙は、両横壁内に縦状に收まる大きさに形成し、而して、凸起の上辺を両壁内に付けるか貼着して内容物や包装物を詰め込むようにしたものである。
【００１５】  実施例９は、実施例４（図１０から図１２）の応用実施例で、内容物や包装体を詰め込む箱の横巾を、両側につかみを挿し込まれる高さの凸起の分だけ巾広くし、且、該凸起は台紙の左右方向の中央に、横断面を台紙にして縦状に形成すると共に、凸起を形成した台紙は、両横壁内に收まる大きさに形成し、而して、凸起の両辺を両横壁内に付けるか貼着して内容物や包装物を詰め込むようにしたものである。
【００１６】  実施例１０は、実施例５（図１３から図１５）の応用実施例で、内容物や包装体を詰め込む箱の横巾を、両側につかみを挿し込まれる高さの凸起の分だけ巾広くし、且、該凸起は、台紙の表側左右に、横断面を半円状か台形状にして縦状に形成すると共に、凸起を形成した台紙は、両横壁内に收まる大きさに形成し、而して、凸起の裏側を両横壁内に付けるか貼着して内容物や包装物を詰め込むようにしたものである。
【００１７】  以上において、台紙の貼り付けは、全面でなく、台紙が外れない程度に貼れば、台紙不要の時は簡単に外されて便利である。
すなわち、台紙の貼り付けは、台紙の裏側上下に、接着剤を塗付して、該上面に油紙または、蝋紙を被せ、箱の組立後、油紙または蝋紙を剥いで、両横壁内に貼着する
なお、箱や台紙は段ボール製がよく、台紙は薄くてよい。また、凸型はプレスして成型してもよい。
また、接着剤は台紙の数箇所に塗布し、油紙または蝋紙を被せてもよい。
【発明の効果】
【００１８】  実施例１から５は、上述のように、片側の横壁内に凸起を作ったので、指を挿し込んで、飲用缶を簡単に取り出すことができる。
したがって、手が不自由な人、おとしより、子供でも、簡単に取り出すことができる。なお、本発明の構造簡単で安価に製作できると共に、飲用缶のみでなく、他用途の缶にも使用できる等の諸特徴を有するものである。
次に、実施例別の更なる効果を説明すると、
【００１９】  実施例１（図１から図３）は、隙間を巾広くしたので飲用缶を取りやすい。また、凸起の上下をゆるやかな傾斜状にしたので、飲用缶を詰めやすく、また、取り出しやすい。また、凸起が両側にあるので、飲用缶を安定して詰めることができる。
【００２０】  実施例２（図４から図６）の凸起は、中央部のみであるが、広巾であるので、飲用缶を安定して詰めることができると共に、凸起のどちらかでも、飲用缶を取り出すことができる。
また、実施例１（図１から図３）のように、凸起の上下をゆるやかな傾斜状にしたので、飲用缶を詰めやすく、また、取り出しやすい。
【００２１】  なお、上記の実施例１と２の凸起は、食い込ませて重ねられるので、嵩張らず、従来通り、箱材を積み重ねて、各需要先に納入することができる。
したがって、何ら支障なく、箱を組立てて飲用缶を詰めることができるると共に、詰め込んだ飲用缶はガタガタしない。
なお、応用実施例６と７も同様の効果がある。
【００２２】  実施例３（図７から図９）は、凸起を巾広く形成したので、飲用缶を取り出しやすい。また、下辺の巾が広いので、飲用缶を安定して詰めることができる。
【００２３】  実施例４（図１０から図１２）は、凸起の両側から飲用管を取り出しやすい。また、凸起の上辺が一定巾あるので、飲用缶を定定して詰めることができる。
【００２４】  実施例５（図１３から図１５）は、凸起内の隙間から飲用管を取り出しやすいと共に、凸起が両端にあるので、飲用管を安定して詰めることができる。
【００２５】  次に、実施例１から５の応用実施例について、その効果を説明する。
【００２６】  実施例６は実施例１（図１から図３）の応用実施例で、凸起間が広いので、片側１ケか２ケのロボットやフオークのつかみを両側から挿し込んで、内容物や包装物を取り出すことができる。
【００２７】  実施例７は、実施例２（図４から図６）の応用実施例で、凸起が中央にあるので、片側２ケのロボットやフオームのつかみを、両側から挿し込んで、内容物や包装物を取り出すことができる。
【００２８】  実施例８は、実施例３（図７から図９）の応用実施例で、凸起の巾を広くしたので、片側１ケか２ケのロボットやフオークのつかみを両側から挿し込んで、内容物や包装物を取り出すことができる。
【００２９】  実施例９は、実施例４（図１０から図１２）の応用実施例で、凸起が中央にあるので、片側２ケのロボットやフオークのつかみを両側から挿し込んで、内容物や包装物を取り出すことができる。
【００３０】  実施例１０は、実施例５（図１３から図１５）の応用実施例で、凸起が両側にあるので、片側１ケか２ケのロケットやフオークのつかみを両側から挿し込んで、内容物や包装物を取り出すことができる。
【図面の簡単な説明】
【００３１】実施例１
【図１】  図２の線Ａ−Ａの一部縦断正面図
【図２】  図１の線Ｂ−Ｂの一部横断平面図
【図３】  図１の右側面図実施例２
【図４】  図５の線Ｃ−Ｃの一部縦断正面図
【図５】  図４の線Ｄ−Ｄの一部横断平面図
【図６】  図４の右側面図実施例３
【図７】  図８の線Ｅ−Ｅの一部縦断正面図
【図８】  図７の線Ｆ−Ｆの一部横断平面図
【図９】  図７の右側面図実施例４
【図１０】  図１１の線Ｇ−Ｇの一部縦断正面図
【図１１】  図１０の線Ｈ−Ｈの一部横断平面図
【図１２】  図１０の右側面図実施例５
【図１３】  図１４の線Ｉ−Ｉの一部縦断正面図
【図１４】  図１３の線Ｊ−Ｊの一部横断平面図
【図１５】  図１３の右側面図
【発明を実施するための形態】
【００３２】  実施例１（図１から図３）は、飲用缶１を詰め込む箱２の横巾を、指が挿し込まれる高さの凸起４の分だけ広くし、該凸起４は、片側の横壁３内の両側に、断面が、半円状または、半楕円状に形成している。また、凸起４の上下はゆるやかな傾斜状にすると共に、凸起４の間隔を広げ、飲用管１を安定して詰め込まれるようにしている。
【００３３】  実施例２（図４から図６）は、実施例１（図１から図３）と同構造の箱２の片側の横壁３内の左右方向の中央に、凸起４を広巾の台形にして縦状に形成し、飲用缶１を安定して詰め込まれるようにしている。
【００３４】  実施例３（図７から図９）は、実施例１（図１から図３）と同構造の箱２の片側の横壁３内の凸起４を、台紙５の左右向の中央に、広巾に形成し、該凸起４の上辺を、片側の横壁３内に付けるか貼着し、飲用管１を安定して詰め込まれるようにしている。
【００３５】  実施例４（図１０から図１２）は、実施例１（図１から図３）と同構造の箱２の片側の横壁３内の凸起４を、台紙５の左右方向の中央に、広巾に形成し、該凸起４の下辺を、片側の横壁３内に付けるか貼着し、飲用管１を安定して詰め込まれるようにしている。
【００３６】  実施例５（図１３から図１５）は、実施例１（図１から図３）と同構造の箱２の片側の横壁３内の凸起４を、台紙５の表側の左右に、横断面が半円状または、半楕円状にして縦状に形成している。而して、凸起４を形成した台紙５の裏側を、片側の横壁３内に付けるか貼着し、飲用缶１を安定して詰め込まれるようにしている。なお、凸起４はＬ型に曲げて形成してもよい。
【００３７】  次に、実施例１から５の応用実施例を説明すると、
【００３８】  実施例６は、実施例１の応用実施例で、内容物や包装物を、ロボットやフオームのつかみで取り出せるように、両横壁３内の凸起４を高く形成している。
【００３９】  実施例７は、実施例２の応用実施例で、内容物や包装物をロボットやフオームのつかみで取り出せるように、両横壁３内の凸起４を高く形成している。
【００４０】  実施例８は、実施例３の応用実施例で、内容物や包装物をロボットやフオームのつかみで取り出せるように、両横壁３内の凸起４を高く形成している。
【００４１】  実施例９は、実施例４の応用実施例で、内容物や包装物をロボットやフオームのつかみで取り出せるように、両横壁３内の凸起４を高く形成している。
【００４２】  実施例１０は、実施例５の応用実施例で、内容物や包装物をロボットやフオークのつかみで取り出せるように、両横壁３の凸起４を高く形成している。
【符号の説明】
【００４３】  １    飲用缶
２    箱
３    横壁
４    凸起
５    台紙
【図１】
2019127321.tif 000003
【図２】
2019127321.tif 000004
【図３】
2019127321.tif 000005
【図４】
2019127321.tif 000006
【図５】
2019127321.tif 000007
【図６】
2019127321.tif 000008
【図７】
2019127321.tif 000009
【図８】
2019127321.tif 000010
【図９】
2019127321.tif 000011
【図１０】
2019127321.tif 000012
【図１１】
2019127321.tif 000013
【図１２】
2019127321.tif 000014
【図１３】
2019127321.tif 000015
【図１４】
2019127321.tif 000016
【図１５】
2019127321.tif 000017